(57)【特許請求の範囲】
【請求項１】
合成繊維に直径０．３ｍｍ〜直径１．０ｍｍの金属線を混入した網地により構成した防獣ネットにおいて、網地を展開して張るための張りロープ挿通部を含め張りロープ挿通部側から１〜５段の網脚は、金属線を混入せず擦れに対して強い合成繊維のみにより形成したことを特徴とする防獣ネット。
【発明の詳細な説明】
【技術分野】
【０００１】
本発明は、動物による破網を困難にするとともに、張りロープ挿通部を強化して耐久性を向上させた防獣ネットに関するものである。
【背景技術】
【０００２】
農作物並びに造林木の若芽、樹皮は、これをそのまま開放しておくと野生の鹿、兎、猪等の格好の餌料となるため、これを防止する目的で、農地並びに造林地の周囲にネットを張りロープで支柱に吊るようにして設置し、フェンス状に張り巡らすことは従来から行われているところである。
【０００３】
このような野生の動物の侵入を防止するための防獣ネットとしては、従来以下のものが存在した。
【０００４】
（１）ポリエチレン等の化学繊維によって構成されたネット。
（２）忌避剤を塗布したネット。
（３）比較的太い針金から構成された金網。
【０００５】
（１）のものにあっては、軽量であるために作業性がよく、作業人員がさほど多くなくとも展開面積を多くとることができるが、一方、動物によって噛み切られることがあり、その結果、長期に亙る効果は期待できなかった。
【０００６】
（２）のものにあっては、自然環境による忌避剤の溶解流出が生じ、これも長期的な効果を望むことができなかった。
【０００７】
（３）のものにあっては、動物によって噛み切られて破網するということはないものの、嵩張ったり重量が大となって、作業性が悪く、かつ地形の起伏に沿うように展開することが不可能に近い程困難であり、しかも経年的に発錆するということも避けられなかった。
【０００８】
そこで、前記の問題点を解決する防獣ネットとして特許文献１や特許文献２に示されるように、網材として合成繊維とともに直径０．３ｍｍ以上の金属線を混入して構成した防獣ネットがある。０．３ｍｍ以上の金属線を混入したことにより動物による破網を防止できその点においては前述のものよりは優れていることが確認できた。
【特許文献１】実用新案登録第２５３３０００号公報
【特許文献２】実用新案登録第２６０５７４３号公報
【発明の開示】
【発明が解決しようとする課題】
【０００９】
しかし、上記特許文献１や特許文献２に記載した防獣ネットにおいては、金属線を合成繊維に混入したことにより網脚を細くすることが可能となったが、一方金属線を混入したことにより防獣ネットとしての重量が合成繊維のみのものと比べ重くなった。
【００１０】
さらに、合成繊維と比べ剛体である金属線を入れたことにより、網地が変形しにくくなるとともに伸度も減少し、衝撃や風圧などの外力に対して網地の変形や伸長によりこれらの力を吸収する能力が弱まった。
【００１１】
そこで、このような防獣ネットに網地を展開して張るための張りロープを通し、支柱に掛けて吊るすようにして設置した場合、動物が防獣ネットに衝突した際の衝撃や風圧などが、途中で網の変形などによりその力が吸収されることなく、直接網の端部の網脚の網地を展開して張るための張りロープ挿通箇所に作用することとなった。
【００１２】
すなわち、網脚の張りロープ挿通箇所に、各種の力が各方向からの力が弱まることなく直接作用することになった。その結果として、網脚の張りロープとの接点が張りロープと始終擦れ合うことにより摩耗し、その場所での破断が生じ易いという問題点が確認されたのである。
【００１３】
その上、金属線を混入したことにより、合成繊維でもって形成される網脚は従来より細くても防獣ネットとしての機能を果たせるようになったため、この細くした網脚により擦れに対して一層弱くなってしまっていたのである。
【００１４】
特に、張りロープとしてワイヤロープを使用した場合、ワイヤロープの太さは例えば６ｍｍ程度なので、網脚がワイヤロープの円周と接する長さが非常に短いために、網脚がワイヤロープと接する接点の単位長さあたりの重量は、網地自体が重くなったことも加えて相当重くなり、なお一層破断し易いという問題が発生した。
【００１５】
すなわち、合成繊維に金属線を混入した網地により防獣ネットを構成したことにより新たに次のような問題点が確認されたのである。
（Ａ）金属線を混入したことにより網地自体が重くなった。
（Ｂ）金属線を入れたことにより網地が変形しずらくなり、結果として網地の変形や伸長による外力の吸収能力が弱まった。
（Ｃ）合成繊維が形成する網脚が細くなったため、擦れに対して弱くなった。
【００１６】
本発明は、かかる事情に鑑みてなされたものであり、その目的とするところは、合成繊維に金属線を混入することにより動物による破網を防ぐとともに、張りロープ挿通部での網脚の破断を防止し耐久性に優れた防獣ネットを提供することである。
【００１７】
なお、金属線の太さをやみくもに太くすれば摩耗による破断を防止できるかもしれないが、これは上記背景技術の（３）で記載したような欠点を有する。したがって、本発明は金属線の太さを０．３ｍｍ〜１．０ｍｍを対象としたものである。
【課題を解決するための手段】
【００１８】
上記目的を達成するために、本発明の防獣ネットは合成繊維に直径０．３ｍｍ〜直径１．０ｍｍの金属線を混入した網地により構成した防獣ネットにおいて、網地を展開して張るための張りロープ挿通部を含め張りロープ挿通部側から１〜５段の網脚は、金属線を混入せず擦れに対して強い合成繊維のみにより形成したものである。
【発明の効果】
【００１９】
本発明によれば、太さ０．３ｍｍ〜１．０ｍｍの金属線を合成繊維と混入することにより動物による破網を防止するとともに、網の張設用張りロープ挿通部を他の箇所と比べて擦れに対して強化することにより、網脚の張りロープとの接点となる箇所の張りロープとの擦れによる破断を防止できるという効果を有する。
【発明を実施するための最良の形態】
【００２０】
次に、本発明に係る防獣ネットの一実施例を図１に基づいて述べる。図１は本発明の防獣ネットを設置した状態を示す正面図である。１は本発明の防獣ネットを構成するところの、合成繊維に０．３ｍｍ〜１．０ｍｍの分径を有する金属線を混入したストランドにより網脚を構成した網地である。前記金属線の本数については、一本のものでも噛み切ることが不可能であるから、一本存在すればよい。しかし複数本混入することを妨げるものではない。
【００２１】
金属線としては例えばステンレス線が使用できるが、その他例えば鋼線などでもよい。また、金属線の太さを全部同じ太さにしてもよく、あるいは太さを違えたものを数種類併用してもよい。さらに、使用箇所に応じて金属線の太さを０．３ｍｍ〜１．０ｍｍの範囲で適宜選択して使用することも可能である。
【００２２】
前記合成繊維については、ポリエチレン、ポリエステル等、所望のものを選択すればよい。また、前記網地１は、有結節網又は無結節網又はラッセル網の何れでもよく、また網目の形状についても、図１に示すものにおいては菱目のものを示してあるが、角目や六角目などでもよい。
【００２３】
そして、網地１は支柱２間に張られた張りロープ３で吊り下げられ、下端を押えロープ４により固定されることにより防獣ネットとして機能するようになっている。
すなわち、網地１の吊り下げ時に上端となる網地を展開して張るための張りロープ挿通部５にワイヤロープなどの張りロープ３を挿通し、所望間隔で立設した支柱２に張りロープ３を引っ掛けるようにして網地１を展開して設置するのである。
【００２４】
そこで、本発明の防獣ネットでは網地を展開して張るための張りロープ挿通部５は他の箇所と比べて擦れに対して強化してある。また、そのために張りロープ挿通部５の網脚６は他の箇所の比べて太くしてある。なお、角目や六角目の場合も、張りロープ挿通部を他の箇所と比べて擦れに対して強化するようにする。
【００２５】
なお、本発明の防獣ネットは、主に網地を展開して張るための張りロープ挿通部５の強化を目的としているが、その他例えば、防獣ネットの押えロープ４の挿通部や支柱２との締結部分などを同様に擦れに対して強化しておいてもよい。
【００２６】
（参考例１）
次に、防獣ネットの参考例を図２に基づいて説明する。図２は防獣ネットの張りロープ挿通部５の拡大説明図である。
張りロープ３を挿通した張りロープ挿通部５より下の段の網目の網脚６は通常の太さの網脚６Ａであり、その上の段で張りロープ挿通部５となる網目の網脚６は下側がその下の段の網目の網脚６Ａと比べて一段太い網脚６Ｂとなっており、さらにその上側の張りロープ３と接する網脚６はもう一段太い網脚６Ｃとなっている。
【００２７】
例えば、網脚６Ｂは網脚６Ａに対して１．２倍の太さとし、さらに網脚６Ｃは網脚６Ｂに対して１．２倍の太さとする。また、使用する編網機によってはこの倍率をもっと上げてもよい。あるいは、本実施例では二段階に網脚６の太さを太くする例を示したが、この太くする段数は任意に選択可能である。例えば、順次１．５倍ずつ数段にわたり太くしていってもよい。
【００２８】
なお、網脚６を太くするためには網脚６を構成する合成繊維や金属線を自体を太くしたり、合成繊維や金属線の本数を増やしたり、あるいはこれらの両者を併用することにより段階的に太くすることができる。また、耐摩耗性に優れた素材を新たに加えるようにして太くすることも可能である。
【００２９】
（参考例２）
次に、防獣ネットの他の参考例を図３に基づいて説明する。図３は防獣ネットの張りロープ挿通部５の拡大説明図である。
網地を展開して張るための張りロープ挿通部５となる網目の網脚６は、張設用張りロープ３と接することとなる箇所の網脚６を二本として二重縁網７としてある。
【００３０】
図示した例では網脚６の本数を二本の二重縁網７としたが、網脚６の本数は二本に限定するものではない。なお、本発明では網脚６の本数が二本以上の場合を総称して二重縁網と称している。
【実施例】
【００３１】
次に、本発明の防獣ネットの実施例を図４に基づいて説明する。図４は本発明の防獣ネットの張りロープ挿通部５の拡大説明図である。
網地を展開して張るための張りロープ挿通部５を含め張りロープ挿通部５側の網脚６の４段は、金属線を混入せず合成繊維のみにより形成した合成繊維網脚Ａとなっている。そして、それより下方の網脚６は金属線を合成繊維に混入した金属線混入網脚Ｂとなっている。なお、金属線を混入せず合成繊維のみにより形成する網脚６の段数としては１〜５段あればよい。防獣ネットの高さにもよるが、余り下の方まで合成繊維網脚Ａとしたのでは、金属線を混入した本来の意義がなくなってしまうからである。
【００３２】
なお、金属線を混入せずに形成する合成繊維網脚Ａは擦れに対して強い原糸を使用する。例えば、アラミド繊維や超高強力ポリエチレン繊維等が使用可能である。擦れに対して強い合成繊維を使用することにより、耐摩耗性が向上するとともに、金属線を混入しないことによりその部分での変形能力が高まり、総重量も若干軽減される。
【００３３】
また、金属線を混入しない箇所のみを擦れに対して強いこのような繊維を使用することも可能であるが、網地１の金属線混入網脚Ｂの合成繊維がもともとこのような擦れに対して強いものを使用している場合は、合成繊維網脚Ａとなる数段の網脚部分のみ金属線の使用を止め、合成繊維網脚Ａの部分を金属線混入網脚Ｂの合成繊維と同一の素材により形成してもよい。
【００３４】
この場合、金属線を擦れに対して強い合成繊維に変更することにより、合成繊維網脚Ａとしては金属線混入網脚Ｂとほとんど網脚の太さを変えることなく、擦れに対しての耐久性を向上させることができる。擦れに対して強い合成繊維を使用した場合、通常の防獣ネットの場合網脚の太さは直径２ｍｍ〜５ｍｍあればよく、同じ太さの金属線混入網脚よりも耐摩耗性は数割向上させることが可能となる。
【図面の簡単な説明】
【００３５】
【図１】本発明の防獣ネットを設置した状態を示す正面図である。
【図２】防獣ネットの張りロープ挿通部の拡大説明図である。
【図３】防獣ネットの他例を示す張りロープ挿通部の拡大説明図である。
【図４】本発明の防獣ネットの張りロープ挿通部の拡大説明図である。
【符号の説明】
【００３６】
１    網地
２    支柱
３    張りロープ
４    押えロープ
５    張りロープ挿通部
６，６Ａ，６Ｂ，６Ｃ    網脚
７    二重縁網
Ａ    合成繊維網脚
Ｂ    金属線混入網脚
【図１】
0004933372.tif 000002
【図２】
0004933372.tif 000003
【図３】
0004933372.tif 000004
【図４】
0004933372.tif 000005